【手続補正書】
【提出日】平成22年3月11日(2010.3.11)
【手続補正１】
【補正対象書類名】特許請求の範囲
【補正対象項目名】全文
【補正方法】変更
【補正の内容】
【特許請求の範囲】
【請求項１】
上面と下面とを持つガスケットにおいて、
隙間空間を有し、浸透させる材料を備える基板であって、平行な第１の要素と、第１の要素と交差する、横切って延びる第２の要素とを持つ網目材からなり、該隙間空間の各々が交差する第１と第２の要素との間に存在する基板と、
基板を少なくとも部分的に掩蔽して少なくとも部分的に隙間空間を満たし、ポリマー材からなり、かつガスケットの上面に模様つき上方表面と、ガスケットの下面に模様つき下方表面とを持ち、該上方と下方の模様つき表面の各々が、交差する突出部と、交差する突出部間に、それぞれ形成された各凹部とから構成される浸透材料と、
を具備することを特徴とするガスケット。
【請求項２】
請求項１に記載のガスケットにおいて、上方と下方の模様つき表面が、それぞれ上面と下面のほぼ全表面領域をなし、交差する突出部と凹部とが上面と下面のそれぞれに格子模様を構成することを特徴とするガスケット。
【請求項３】
上面と下面とを持つガスケットにおいて、
隙間空間を有し、浸透させる材料を備える基板であって、平行な第１の要素と、第１の要素と交差する、横切って延びる第２の要素とを持つ網目材からなり、該隙間空間の各々が交差する第１と第２の要素との間に存在する基板と、
ガスケットの体積封止をもたらし、少なくとも部分的に基板を掩蔽する一次封止材と、
少なくとも部分的に該一次封止材を掩蔽して、ガスケットの界面封止をもたらす二次封止材と、
を具備することを特徴とするガスケット。
【請求項４】
請求項３に記載のガスケットにおいて、該基板が浸透させる材料からなり、該一次封止材で少なくとも部分的に隙間空間を埋めることを特徴とするガスケット。
【請求項５】
請求項３に記載のガスケットにおいて、該一次封止材が第１のポリマー被膜からなり、該二次封止材が第２のポリマー被膜からなることを特徴とするガスケット。
【請求項６】
請求項４に記載のガスケットにおいて、該一次封止材がほぼ全基板を掩蔽し、該二次封止材がほぼ全部の一次封止材を掩蔽することを特徴とするガスケット。
【請求項７】
請求項４に記載のガスケットにおいて、ガスケットの縁部により少なくとも部分的に画成された開口が設けられ、該二次封止材は、開口と隣接した一次封止材を掩蔽する少なくとも１つの、縁部を封止する突出部を備えていることを特徴とするガスケット。
【請求項８】
請求項３に記載のガスケットにおいて、さらに、上面に凹みと、下面に突出部とからなる浮出しを備え、該二次封止材は、凹み内の一次封止材を掩蔽する被膜を構成することを特徴とするガスケット。
【請求項９】
請求項５に記載のガスケットにおいて、第１のポリマー被膜は比較的硬いポリマーであり、第２のポリマーは比較的軟らかいポリマーであることを特徴とするガスケット。
【請求項１０】
請求項５に記載のガスケットにおいて、第１のポリマー被膜はフッ素エラストマーであることを特徴とするガスケット。
【請求項１１】
請求項１０に記載のガスケットにおいて、第２のポリマー被膜はポリアクリレート（ＡＣＭ）であることを特徴とするガスケット。
【請求項１２】
請求項１０に記載のガスケットにおいて、第２のポリマー被膜はフッ素エラストマーであることを特徴とするガスケット。
【請求項１３】
請求項９に記載のガスケットにおいて、第１のポリマー被膜はポリアクリレート（ＡＣＭ）であることを特徴とするガスケット。
【請求項１４】
請求項１３に記載のガスケットにおいて、第２のポリマー被膜はフッ素エラストマーであることを特徴とするガスケット。
【請求項１５】
請求項１３に記載のガスケットにおいて、第２のポリマー被膜はポリアクリレート（ＡＣＭ）であることを特徴とするガスケット。
【請求項１６】
上面と下面とを持つガスケットを形成する方法において、
隙間空間を有する基板であって、平行な第１の要素と、第１の要素と交差する、横切って延びる第２の要素とを持つ網目材からなり、該隙間空間の各々が交差する第１と第２の要素との間に存在する基板を用意するステップと、
浸透材料で基板を少なくとも部分的に掩蔽し、少なくとも部分的に隙間空間を埋めるステップと、
ガスケットの上面に模様つき上方表面を形成するステップと、
ガスケットの下面に模様つき下方表面を形成するステップと、
を包含し、上方と下方の模様つき表面の各々が、交差する突出部と、交差する突出部間に形成された凹部とから構成されることを特徴とする方法。
【請求項１７】
請求項１６に記載の方法において、さらに、上面に凹みと下面に突出部とからなる浮出しを形成するステップを包含することを特徴とする方法。
【請求項１８】
開口と、上面と、下面とを持つガスケットを形成する方法において、
平行な第１の要素と、第１の要素と交差する、横切って延びる第２の要素とを持つ網目材からなり、交差する第１と第２の要素間にそれぞれ隙間空間が存在する基板を用意するステップと、
ガスケットの体積封止をもたらす一次封止材料により、少なくとも部分的に基板を掩蔽するステップと、
ガスケットの界面封止をもたらす二次封止材により、少なくとも部分的に一次封止材を掩蔽するステップと、
を包含することを特徴とする方法。
【請求項１９】
請求項１８に記載の方法において、少なくとも部分的に基板を掩蔽するステップは、少なくとも部分的に基板の隙間空間を埋めるステップを包含することを特徴とする方法。
【請求項２０】
請求項１８に記載の方法において、該ガスケットが、開口に隣接した縁部周辺を有するものであり、そして該方法が、さらに、縁部周辺で一次封止材を掩蔽する二次封止材から、少なくとも１つの、縁部を封止する突出部を形成するステップを包含することを特徴とする方法。
【請求項２１】
請求項２０に記載の方法において、さらに、上面に凹みと下面に突出部とからなる浮出しをガスケットに形成するステップを包含することを特徴とする方法。
【請求項２２】
請求項２１に記載の方法において、凹みを二次封止材でほぼ埋めることを特徴とする方法。
【請求項２３】
請求項１８に記載の方法において、少なくとも部分的に基板を掩蔽するステップは、基板に一次封止材を噴霧、浸漬、印刷、及び噴射するステップのうち少なくとも１つを包含することを特徴とする方法。
【請求項２４】
請求項１８に記載の方法において、少なくとも部分的に一次封止材を掩蔽するステップは、一次封止材に二次封止材を噴霧、浸漬、印刷、及び噴射するステップのうち少なくとも１つを包含することを特徴とする方法。
【請求項２５】
平行な第１の要素と、第１の要素と交差する、横切って延びる第２の要素とを持つ網目材で形成され、そして、交差する第１と第２の要素間にそれぞれ隙間空間が存在する基板と、
少なくとも部分的に隙間空間を埋める、基板上に設けられたポリマー材の被膜とを具備し、該被膜が、ガスケットの上面の模様つき上方表面を形成する持ち上げられた部分と、ガスケットの下面の模様つき下方表面を形成する低められた部分とで画成される模様状に形成されており、持ち上げられた部分が、各持ち上げられた部分間に凹部を形成する交差する突出部を含み、低められた部分が、各低められた部分間に凹部を形成する交差する突出部を含むことを特徴とするガスケット。
【請求項２６】
上面と下面とを持つガスケットにおいて、
隙間空間を有し、浸透させる材料を備えた基板と、
基板を少なくとも部分的に掩蔽して少なくとも部分的に隙間空間を満たし、ポリマー材からなり、かつガスケットの上面に上方表面と、ガスケットの下面に下方表面とを持つ浸透材料と、
上面と下面の一方に凹みを、上面と下面の他方に突出部を構成する浮出しと、
を具備することを特徴とするガスケット。
【請求項２７】
請求項２６に記載のガスケットにおいて、基板は、平行な第１の要素と、横切って延びる第２の要素とを持つ網目材であり、交差する第1と第２の要素間にそれぞれ隙間空間が存在することを特徴とするガスケット。
【請求項２８】
請求項２６に記載のガスケットにおいて、該凹みは上面にあり、該突出部は下面にあることを特徴とするガスケット。
【請求項２９】
請求項２６に記載のガスケットにおいて、さらに二次封止材を具備し、二次封止材は少なくとも部分的に凹みに収容されていることを特徴とするガスケット。
【請求項３０】
請求項２９に記載のガスケットにおいて、浸透材料は第１のポリマー材からなり、二次封止材は第２のポリマー材からなることを特徴とするガスケット。
【請求項３１】
請求項３０に記載のガスケットにおいて、第１のポリマー材は比較的硬いポリマーであり、第２のポリマー材は比較的軟らかいポリマーであることを特徴とするガスケット。
【請求項３２】
請求項３１に記載のガスケットにおいて、第１のポリマー材はフッ素エラストマーであり、第２のポリマー材はポリアクリレートであることを特徴とするガスケット。